【事件の表示】
　特許第２８０７３９５号「サーマルヘッド及びそのサーマルヘッドを備えた装置」の請求項１に係る特許に対する特許異議の申立てについて、次のとおり決定する。
【結論】
　訂正を認める。
　特許第２８０７３９５号の請求項１に係る特許を維持する。
【理由】
Ｉ．手続きの経緯
　本件特許第２８０７３９５号発明は、平成５年５月２０日に出願され、平成１０年７月２４日にその特許の設定登録がなされ、その後、京セラ株式会社より特許異議の申立てがなされ、取消理由通知がなされ、その指定期間内である平成１１年１０月８日に訂正請求がなされたものである。
ＩＩ．訂正の適否についての判断
１．訂正の要旨
　▲１▼訂正事項ａ
　特許請求の範囲の【請求項１】中の、「発熱部に有する基板」を「発熱部としての発熱抵抗体を表面の一端側近傍に有する基板」と訂正し、「前記放熱板上に形成された発熱抵抗体と、」を削除する訂正である。
　▲２▼訂正事項ｂ
　特許請求の範囲の【請求項１】中の、「かつ前記発熱抵抗体下部を避けるように」を「かつ前記発熱抵抗体からみて他端側であって前記発熱抵抗体の下部を避ける位置に」と訂正するものである。
　▲３▼訂正事項ｃ
　明細書段落【０００６】について、上記訂正事項ａ，ｂと同様の訂正をするものである。
２．訂正の目的、新規事項禁止、拡張変更禁止の各要件の判断
　▲１▼訂正事項ａは、願書に添付した明細書又は図面に記載した事項の範囲内（特に、図１と明細書段落【００１１】参照）で、発熱抵抗体が発熱部としてのものであることと放熱板上のさらに基板上にあることを明瞭にし、発熱抵抗体が基板表面の一端側近傍にあることを限定するものであり、特許請求の範囲の減縮と不明瞭な記載の釈明を目的とするものであって、上記各要件を満たすものである。
　▲２▼訂正事項ｂは、願書に添付した明細書又は図面に記載した事項の範囲内（特に、図１と明細書段落【００１１】参照）で、発熱抵抗体に対する溝の位置を限定するものであり、特許請求の範囲の減縮を目的とするものであって、上記各要件を満たすものである。
　▲３▼訂正事項ｃは、上記訂正事項ａ，ｂとの整合を図るものであり、上記各要件を満たすものである。
３．独立特許要件の判断と訂正の適否のまとめ
　以下に述べるように、訂正後の請求項１に係る発明は特許出願の際独立して特許を受けることができない発明とすることはできないことから、上記訂正は、特許法１２０条の４第２項及び同条第３項で準用する第１２６条第２乃至４項の規定に適合するので、当該訂正を認める。
ＩＩＩ．異議申立についての判断
１．本件請求項１に係る発明
　本件請求項１に係る発明は、訂正明細書及び図面の記載からみて、訂正明細書の特許請求の範囲の請求項１に記載された事項により特定される次のとおりのものである。
「発熱部としての発熱抵抗体を表面の一端側近傍に有する基板と、前記基板の裏面に両面接着テープを介して固定される放熱板と、を備えたサーマルヘッドにおいて、前記基板と接着される前記放熱板の表面には、該放熱板の長手方向に沿って、かつ前記発熱抵抗体からみて他端側であって前記発熱抵抗体の下部を避ける位置に、前記放熱板と前記両面接着テープ及び前記基板と前記両面接着テープとの接着時に各貼合わせ面に存在する接着を阻害する空気を外部に逃がすための少なくとも一本以上の溝を備えていることを特徴とするサーマルヘッド。」
２．異議申立の理由と証拠
　これに対して、当審が通知した取消理由で採用した異議申立の理由と証拠は、本件請求項１に係る発明は、実願平３−１０７４７８号（実開平５−５３９４７号）の願書に最初に添付した明細書及び図面（甲第１号証）に記載された発明と同一であるから、特許法第２９条の２の規定により特許を受けることができないというものである。
　そして、甲第１号証には、一対の導電層４ａ，４ｂ間を発熱部とする発熱抵抗体３を表面略中央に有する基板１と、前記基板の裏面に粘着テープ７を介して固定される放熱板６と、を備えたサーマルヘッドにおいて、前記基板と接着される前記放熱板の表面には、該放熱板の長手方向に沿って、かつ前記発熱抵抗体の発熱部の両側であって発熱部の下部を避ける位置に、前記放熱板と前記粘着テープ及び前記基板と前記粘着テープとの接着時に各貼合わせ面に存在する接着を阻害する空気を外部に逃がすための少なくとも一本以上の溝部６ａを備えているサーマルヘッド（以下、「先願発明」という。）、が記載されている。
３．対比・判断
　本件請求項１に係る発明と先願発明とを対比するに、前者が、発熱抵抗体を基板表面の一端側近傍に有し、溝を発熱抵抗体からみて他端側であって発熱抵抗体の下部を避ける位置としているのに対し、後者は、発熱抵抗体を基板表面の略中央に有し、溝を発熱部の両側であって発熱部の下部を避ける位置としている点で、両者は相違し、その余の点で一致する。
　相違点について検討するに、前者は、発熱抵抗体を基板表面の一端側近傍に有することと溝を発熱抵抗体からみて他端側としていることと溝を発熱抵抗体の下部を避ける位置としていることとが有機的に関連しあって、基板上を、例えば、本件図１や明細書段落【００１１】に示すように使用できることも考慮されているのに対して、後者は基板上をこのように使用できるものでもないことから、上記相違点が単なる微差に過ぎないものであるとは認められない。
　したがって、本件請求項１に係る発明が先願発明と同一であるとは認められない。
ＩＶ．むすび
　したがって、特許異議申立ての理由及び証拠によっては、本件請求項１に係る特許を取り消すことはできない。
　また、他に本件請求項１に係る特許を取り消すべき理由を発見しない。
　よって、結論のとおり決定する。
【異議決定日】
平成１１年１０月２８日（１９９９．１０．２８）
【訂正の要旨】
　訂正の要旨
　▲１▼訂正事項ａ
　特許請求の範囲の減縮と不明瞭な記載の釈明を目的として、【請求項１】中の、「発熱部に有する基板」を「発熱部としての発熱抵抗体を表面の一端側近傍に有する基板」と訂正し、「前記放熱板上に形成された発熱抵抗体と、」を削除する。
　▲２▼訂正事項ｂ
　特許請求の範囲の減縮を目的として、【請求項１】中の、「かつ前記発熱抵抗体下部を避けるように」を「かつ前記発熱抵抗体からみて他端側であって前記発熱抵抗体の下部を避ける位置に」と訂正する。
　▲３▼訂正事項ｃ
　明細書段落【０００６】について、上記訂正事項ａ，ｂとの整合を図るために、同様の訂正をする。
（５４）【発明の名称】
サーマルヘッド及びそのサーマルヘッドを備えた装置
（５７）【特許請求の範囲】
　【請求項１】　発熱部
としての発熱抵抗体を表面の一端側近傍に
前記基板の裏面に両面接着テープを介して固定される放熱板と、
を備えたサーマルヘッドにおいて、
前記基板と接着される前記放熱板の表面には、該放熱板の長手方向に沿って、かつ
前記発熱抵抗体からみて他端側であって
の
位置
　【請求項２】　積層された原稿をストックするフィードイントレイと、
積層された原稿をストックするフィードイントレイから最上紙を吸い込む方向に引き込み搬送するフィードローラと、
前記フィードローラによって、搬送される原稿の文字を画像信号として読取るイメージセンサと、からなる原稿供給部と、
原稿を転写する記録用紙と、
前記記録用紙を搬送する記録用紙用プラテンローラと、からなる記録用紙供給部と、
前記記録用紙に前記イメージセンサによって読み取った画像を前記記録用紙に印字するサーマルヘッドと、
を含むサーマルヘッドを備えた装置であって、
前記サーマルヘッドは、
発熱部を有する基板と、
前記基板の裏面に両面接着テープを介して固定される放熱板と、
前記放熱板に形成された発熱抵抗体と、
を備えたサーマルヘッドにおいて、
前記基板と接着される前記放熱板の表面には、該放熱板の長手方向に沿って、かつ前記発熱抵抗体下部を避けるように、前記放熱板と前記両面接着テープ及び前記基板と前記両面接着テープとの接着時に各貼合わせ面に存在する接着を阻害する空気を外部に逃がすための少なくとも一本以上の溝を備えていることを特徴とするサーマルヘッドを備えた装置。
【発明の詳細な説明】
　【０００１】
　【産業上の利用分野】本発明はサーマルヘッド及びそのサーマルヘッドを備えた装置、特にサーマルヘッドの構造の改良に関するものである。
　【０００２】
　【従来の技術】従来から、ページプリンタ、ワープロ、ファクシミリなどの各種の装置において、プリントヘッドとしてサーマルヘッドが用いられている。そして、このサーマルヘッドは、基板上に設けられた発熱抵抗体を通電によって発熱させて、その熱によって発熱抵抗体に接触しながら基板上を通過する感熱紙に印字するように構成されている。また、サーマルヘッドは、このように発熱抵抗体に発生する熱によって基板ないしサーマルヘッドが過熱状態になりサーマルヘッドの熱損または印字性能の低下を招くことを防止するために、基板の裏面に熱伝導性の良い放熱板が設けられ、サーマルヘッドの蓄熱を防止している。
　【０００３】従来のサーマルヘッドは、基板と放熱板とをシリコン系またはアクリル系、エポキシ系の接着剤によって接着していた。しかし、近年において、サーマルヘッドの製造工程を簡略化するために基板と放熱板とを両面接着テープにより接着するようになってきている。
　【０００４】
　【発明が解決しようとする課題】しかしながら、両面接着テープは、接着剤のように押圧時に大きく伸展することがない。また、接着させる基板も放熱板もその接着表面は平面である。このために、貼り合わせ時に両面接着テープと基板及び両面接着テープと放熱板との間に空気が残留してしまう。この残留した空気は、サーマルヘッドに内蔵された装置を破損しない程度の押圧では完全に抜き取ることが困難であり、この空気は接着ムラの原因となる。これによって、サーマルヘッドは放熱ムラを引き起こして、印字ムラが発生してしまうという問題があった。
　【０００５】本発明は上記従来の課題に鑑みてなされたものであり、その目的は、両面接着テープを用いた基板と放熱板の接着における貼合せムラを防止したサーマルヘッド及びそのサーマルヘッドを備えた装置を提供することにある。
　【０００６】
　【課題を解決するための手段】以上のような目的を達成するために、本発明に係るサーマルヘッドは、発熱部
としての発熱抵抗体を表面の一端側近傍に
前記発熱抵抗体からみて他端側であって
の
位置
　【０００７】また、本発明に係るサーマルヘッドを備えた装置は、積層された原稿をストックするフィードイントレイと、積層された原稿をストックするフィードイントレイから最上紙を吸い込む方向に引き込み搬送するフィードローラと、前記フィードローラによって、搬送される原稿の文字を画像信号として読取るイメージセンサと、からなる原稿供給部と、原稿を転写する記録用紙と、前記記録用紙を搬送する記録用紙用プラテンローラと、からなる記録用紙供給部と、前記記録用紙に前記イメージセンサによって読み取った画像を前記記録用紙に印字するサーマルヘッドと、を含むサーマルヘッドを備えた装置であって、前記サーマルヘッドは、発熱部に有する基板と、前記基板の裏面に両面接着テープを介して固定される放熱板と、前記放熱板上に形成された発熱抵抗体と、を備えたサーマルヘッドにおいて、前記基板と接着される前記放熱板の表面には、該放熱板の長手方向に沿って、かつ前記発熱抵抗体下部を避けるように、前記放熱板と前記両面接着テープ及び前記基板と前記両面接着テープとの接着時に各貼合わせ面に存在する接着を阻害する空気を外部に逃がすための少なくとも一本以上の溝を備えていることを特徴とする。
　【０００８】
　【作用】以上のような構成を有する本発明に係るサーマルヘッド及びそのサーマルヘッドを備えた装置において、該サーマルヘッドの基板と接着される放熱板の表面に、該放熱板の長手方向に沿って一本または複数本の溝が設けられているので、放熱板と両面接着テープ及び基板と両面接着テープとの接着時に各貼合わせ面に存在する接着を阻害する空気を押圧によって外部に逃がすことができる。
　【０００９】
　【実施例】以下の図面に基づいて、本発明の好適な実施例を説明する。
　【００１０】図１は、本発明に係るサーマルヘッドの一実施例を示す断面図である。
　【００１１】本発明のサーマルヘッドの基本的構造は、従来のものとほぼ同様の構成を取っている。すなわち、図１に示すように、放熱板１０の上には一端側から発熱部としての発熱抵抗体１４、及びこの発熱抵抗体１４を駆動させる駆動回路２６、ならびにこの駆動回路２６へ電力を供給する櫛歯状の入力端子部（図示せず）を表面に有するセラミック製の基板１２が固定されている。この放熱板１０及び基板１２の上に、外部接続用基板１５が設けられている。更に、この外部接続用基板１５は、裏面一端部に上記入力端子と対応する櫛歯状の接続端子部をもつ半透明の合成樹脂製のフィルム１６が設けられ、基板１２の上記入力端子部に上記接続端子を重ねるようにして放熱板１０に重ね合わされている。また、保護カバー２０は、その下部と上記フィルム１６の重合接触状態にある上記各端子部と対応する上面との間に押えゴム１８を挟み込んだ状態で外部接続用基板１５の上に重ねられて、外部接続用基板１５と放熱板１０にネジ２２によってねじ止めされている。
　【００１２】図２は、図１中のＹの部分を拡大した拡大断面図である。
　【００１３】図２に示すように、基板１２と放熱板１０の表面とは、両面接着テープ２４を介して固着されている。通常、まず基板１２の裏面に両面接着テープ２４の一面を貼り付け、その後更に両面接着テープ２４の他面をアルミニウム製の放熱板１０に貼付けて、両者を接着させる。また、本実施例における両面接着テープ２４は、耐熱性が改良されたアクリル系モノマーの重合物を主成分とした樹脂である。
　【００１４】近年、両面接着テープを用いて、基板１２と放熱板１０とを接着させたサーマルヘッドが製造されているが、上述したように、接着時に基板１２と両面接着テープ２４及び放熱板１０と両面接着テープ２４との間に残留する空気を後の押圧によって完全に除去することは困難であった。
　【００１５】本発明の特徴は、上記接着時の残留空気を押圧によって容易に外部に逃がす少なくとも一本以上の溝が、基板１２と接着される放熱板１０の表面に設けられたことである。すなわち、本実施例のように（図１及び図２に示されるように）、放熱板１０の長手方向に沿って溝１１ａ及び１１ｂを設けられたことである。これにより、基板１２と放熱板１０との貼り合せの後、シリコンゴムローラによって基板の上から押圧することによって、残留空気を溝１１ａ及び１１ｂから外部に効率的に逃がすことができる。このため、基板１２と放熱板１０とは、均一な膜厚の両面接着テープ２４によって接着され、貼合せムラが解消される。従って、発熱抵抗体１４に発生した熱を基板１２から放熱板１０に伝達させ、熱伝導性が一定なサーマルヘッドを得ることができる。
　【００１６】なお、本実施例の溝１１ａ及び１１ｂは、放熱板１０の金型押出成形時に形成してもよいし、または金型成形後に形成してもよい。
　【００１７】また、本実施例の場合は、溝を溝１１ａ及び１１ｂの二本としたが、これに限るものではない。更に、発熱板１０に形成される溝の位置も図１の位置に限定されるものではなく、両面接着テープ２４、基板１２及び放熱板１０の素材に応じて発生する残留空気を効率よく抜ける位置であればよい。
　【００１８】次に、本発明に係るサーマルヘッドを備えた装置、例えばプリンタについて説明する。図３は、本発明に係るサーマルヘッドを備えたプリンタの内部構造の一実施例を示す断面図である。
　【００１９】プリンタは、原稿供給部、記録記録用紙供給部、本発明のサーマルヘッド３７、システムコントロール基板３２、電源３３とからなる。まず、原稿供給部は、原稿３０をストックするフィードイントレイ（図示せず）と、原稿３０を送る供給ローラ３１ａとプラテンローラ３１ｂとイメーシセンサ３１ｃと光源３１ｄとからなる。また、記録用紙供給部は、原稿が転写される記録用紙１７を送る記録プラテンローラ３６からなる。本発明において、これらの機能は主要な役割を持たないため、詳細な説明は省略する。一方、記録用紙供給部により供給された記録用紙１７は、上述した本発明のサーマルヘッド３７にて熱転写される。この熱転写の際に、本発明のサーマルヘッド３７及びこれを備えるプリンタを使用すると、印字ムラのない極めて鮮明な印字が可能になる。
　【００２０】
　【発明の効果】以上のように、本発明に係るサーマルヘッド及びそのサーマルヘッドを備えた装置は、該サーマルヘッドの基板と接着される放熱板の表面に、該放熱板の長手方向に沿って一本または複数本の溝が設けられているので、放熱板と両面接着テープ及び基板と両面接着テープとの貼合わせ面に存在する接着を阻害する空気を押圧によって外部に逃がすことができる。
　【００２１】これにより、基板と放熱板の表面が平面であっても、基板と放熱板の接着においる貼合せムラを防止することができ、蓄熱による放熱ムラが回避され、印字ムラの発生を防止できる。
　【００２２】また、放熱板に溝を設けたことにより、接着剤の代わりに両面接着テープを使用することができ、このためサーマルヘッドの製造工程を簡略化することができる。
【図面の簡単な説明】
　【図１】本発明に係るサーマルヘッドの一実施例を示す断面図である。
　【図２】図１中のＹの部分を拡大した拡大断面図である。
　【図３】本発明に係るサーマルヘッドを備えたプリンタの内部構造の一実施例を示す断面図である。
　【符号の説明】
１０　放熱板
１１ａ、１１ｂ、　溝
１２　基板
１４　発熱抵抗体
１５　外部接続用基板
１６　フィルム
１７　記録用紙
１８　押えゴム
２０　保護カバー
２２　ネジ
３６　記録プラテンローラ